(57)【要約】【課題】明るさのばらつきが出来る限り小さい撮影画像を得ることが可能な車両用撮影装置及び車両用撮影システムの提供。【解決手段】車両用撮影装置（１００）は、赤外線を検知可能なカメラ（１３０）と、カメラの撮影範囲を含む領域内に赤外線を放射する複数の光源（１４０ａ〜１４０ｆ）と、複数の光源の輝度を制御する調整部（１８０）と、を備える。調整部（１８０）は、カメラによる撮影画像における場所ごとの明るさのばらつきが小さくなるように、複数の光源の各々の輝度を個別に設定する個別輝度調整を実行可能であるように構成されている。【選択図】図２
2017105431.tif 000002
【特許請求の範囲】
【請求項１】
赤外線を検知可能なカメラと、前記カメラの撮影範囲を含む領域内に赤外線を放射する複数の光源と、前記複数の光源の輝度を調整する調整部と、を備えた車両用撮影装置であって、
前記調整部は、
前記カメラによる撮影画像における場所ごとの明るさのばらつきが小さくなるように、前記複数の光源の各々の輝度を個別に調整する個別輝度調整を実行可能であるように構成されている、
車両用撮影装置。
【請求項２】
請求項１に記載の車両用撮影装置において、
前記調整部が、
前記撮影画像を仮想的に複数の領域に分割すると共に、前記複数の領域間の明るさの差が小さくなるように、前記個別輝度調整を実行する、
車両用撮影装置。
【請求項３】
請求項１又は請求項２に記載の車両用撮影装置において、
前記調整部が、
前記カメラによる撮影における露光時間が所定の閾値以下である場合、前記個別輝度調整を実行する、
車両用撮影装置。
【請求項４】
車両用撮影装置と、前記車両用撮影装置と通信可能な画像分析装置と、を備えた車両用撮影システムであって、
前記車両用撮影装置は、
赤外線を検知可能なカメラと、前記カメラの撮影範囲を含む領域内に赤外線を放射する複数の光源と、前記複数の光源の各々の輝度を個別に調整可能な調整部と、を備え、
前記画像分析装置において、
前記カメラによる撮影画像における場所ごとの明るさのばらつきが小さくなるように、前記複数の光源の各々の輝度が定められる輝度設定が行われ、
前記調整部は、
前記輝度設定に従って前記複数の光源の輝度を調整する、
車両用撮影システム。
【請求項５】
請求項４に記載の車両用撮影システムにおいて、
前記画像分析装置において、
前記撮影画像を仮想的に複数の領域に分割すると共に、前記複数の領域間の明るさの差が小さくなるように、前記輝度設定が行われる、
車両用撮影システム。
【請求項６】
請求項４又は請求項５に記載の車両用撮影システムにおいて、
前記画像分析装置において、
前記カメラによる撮影における露光時間が所定の閾値以下である場合、前記輝度設定が行われる、
車両用撮影システム。
【発明の詳細な説明】
【技術分野】
【０００１】
本発明は、車両用撮影装置、及び、車両用撮影システムに関する。
【背景技術】
【０００２】
従来から、車両の運行管理などを目的とし、車両の室内又は周辺等を撮影する車両用撮影装置が提案されている。例えば、従来の車両用撮影装置の一つ（以下「従来装置」という。）は、車両の室内の様子を撮影するべく、赤外線カメラと、赤外線を放射する複数の赤外線ＬＥＤ（Ｌｉｇｈｔ  Ｅｍｉｔｔｉｎｇ  Ｄｉｏｄｅ）と、を備え、複数の赤外線ＬＥＤから車両の室内（車内）に赤外線を放射しながら、赤外線カメラによって車内の様子を撮影するようになっている（例えば、特許文献１参照）。
【先行技術文献】
【特許文献】
【０００３】
【特許文献１】特開２０１０−２５３９８７号公報
【発明の概要】
【発明が解決しようとする課題】
【０００４】
従来装置では、複数の赤外線ＬＥＤから車内に赤外線が放射されるものの、撮影対象物（例えば、乗客および内装部品など）の形状および配置等によっては、撮影範囲内における場所ごとの赤外線の照射量のばらつきが大きくなる場合がある。その場合、赤外線カメラの撮影画像における場所ごとの明るさのばらつきが大きくなり、撮影画像内の暗い部分が、撮影画像内の明るい部分に比べて視認し難くなる可能性がある。しかし、適切な運行管理等を行うためには、明るさのばらつきが出来る限り小さい撮影画像を得ることが望ましい。
【０００５】
本発明は、上述した事情に鑑みてなされたものであり、その目的は、明るさのばらつきが出来る限り小さい撮影画像を得ることが可能な車両用撮影装置、及び、そのような撮影画像を得ることが可能な車両用撮影システム、を提供することにある。
【課題を解決するための手段】
【０００６】
前述した目的を達成するために、本発明に係る車両用撮影装置は、下記（１）〜（３）を特徴としている。
（１）
赤外線を検知可能なカメラと、前記カメラの撮影範囲を含む領域内に赤外線を放射する複数の光源と、前記複数の光源の輝度を調整する調整部と、を備えた車両用撮影装置であって、
前記調整部は、
前記カメラによる撮影画像における場所ごとの明るさのばらつきが小さくなるように、前記複数の光源の各々の輝度を個別に調整する個別輝度調整を実行可能であるように構成されている、
車両用撮影装置であること。
（２）
上記（１）に記載の車両用撮影装置において、
前記調整部が、
前記撮影画像を仮想的に複数の領域に分割すると共に、前記複数の領域間の明るさの差が小さくなるように、前記個別輝度調整を実行する、
車両用撮影装置であること。
（３）
上記（１）又は上記（２）に記載の車両用撮影装置において、
前記調整部が、
前記カメラによる撮影における露光時間が所定の閾値以下である場合、前記個別輝度調整を実行する、
車両用撮影装置であること。
【０００７】
上記（１）の構成の車両用撮影装置によれば、カメラによる撮影画像における場所ごとの明るさのばらつきが小さくなるように、複数の光源の各々の輝度を個別に（換言すると、必要に応じて異なる輝度に）設定する個別輝度調整が可能となっている。そのため、複数の光源の輝度が一律に（同一の輝度にて発光するように）設定される場合に比べ、撮影画像の場所ごとの明るさのばらつきを低減できる。よって、本構成の車両用撮影装置は、調整部によって複数の光源の各々の輝度を適宜調整することにより、明るさのばらつきが出来る限り小さい撮影画像を得ることが可能である。
【０００８】
上記（２）の構成の車両用撮影装置によれば、撮影画像が仮想的に複数の領域に分割された上で、それら複数の領域間の明るさの差が小さくなるように、複数の光源の各々の輝度が設定される。そのため、このような仮想的な画像の分割を行わない場合に比べ、複数の光源の各々の輝度を容易に設定することが可能となる。
【０００９】
上記（３）の構成の車両用撮影装置によれば、カメラによる撮影における露光時間を考慮した上で、上述した個別輝度調整が実行される。これにより、例えば、露光時間が十分に長い場合において更に光源から撮影対象に赤外線が放射されることを避け、カメラにおける露光が過剰となること（いわゆる白飛び）を防止できる。
【００１０】
なお、上述した露光時間の「所定の閾値」は、光源から放射し得る最大光量、カメラの受光素子における露光可能量（ダイナミックレンジ）、及び、車両用撮影装置が使用される環境に想定される明るさ等を考慮し、予め実験等を行うことによって定められ得る。
【００１１】
更に、前述した目的を達成するために、本発明に係る車両用撮影システムは、下記（４）〜（６）を特徴としている。
（４）
車両用撮影装置と、前記車両用撮影装置と通信可能な画像分析装置と、を備えた車両用撮影システムであって、
前記車両用撮影装置は、
赤外線を検知可能なカメラと、前記カメラの撮影範囲を含む領域内に赤外線を放射する複数の光源と、前記複数の光源の各々の輝度を個別に調整可能な調整部と、を備え、
前記画像分析装置において、
前記カメラによる撮影画像における場所ごとの明るさのばらつきが小さくなるように、前記複数の光源の各々の輝度が定められる輝度設定が行われ、
前記調整部は、
前記輝度設定に従って前記複数の光源の輝度を調整する、
車両用撮影システムであること。
（５）
上記（４）に記載の車両用撮影システムにおいて、
前記画像分析装置において、
前記撮影画像を仮想的に複数の領域に分割すると共に、前記複数の領域間の明るさの差が小さくなるように、前記輝度設定が行われる、
車両用撮影システムであること。
（６）
上記（４）又は上記（５）に記載の車両用撮影システムにおいて、
前記画像分析装置において、
前記カメラによる撮影における露光時間が所定の閾値以下である場合、前記輝度設定が行われる、
車両用撮影システムであること。
【００１２】
上記（４）に記載の車両用撮影システムによれば、上記（１）と同様、カメラによる撮影画像における場所ごとの明るさのばらつきが小さくなるように、複数の光源の各々の輝度を個別に（換言すると、必要に応じて異なる輝度に）設定する個別輝度調整が可能となっている。そのため、複数の光源の輝度が一律に（同一の輝度にて発光するように）設定される場合に比べ、撮影画像の場所ごとの明るさのばらつきを低減できる。
【００１３】
よって、本構成の車両用撮影システムは、画像分析装置によって複数の光源の各々の輝度を適宜定めることにより、明るさのばらつきが出来る限り小さい撮影画像を得ることが可能である。
【００１４】
なお、車両用撮影装置と画像分析装置とは互いに独立した別体の装置であってもよく、双方の装置の機能を備えた一体の装置として構成されてもよい。前者（別体の装置）の場合、車両用撮影装置とは別の画像分析装置を用いて光源の輝度を定めるため、光源の輝度を定めるための機能を車両用撮影装置に設ける必要がない分、車両用撮影装置の構造を簡略化（小型化・低価格化）できる。後者（一体の装置）の場合、撮影および分析の機能を一纏めに備えた装置を提供でき、システム全体の構成を簡略化できる。
【００１５】
ところで、上述した画像分析装置は、車両用撮影装置と常に通信可能であるように（例えば、無線通信を用いた常時通信が可能であるように）構成されてもよく、必要に応じて適時に車両用撮影装置と通信可能であるように（例えば、有線通信を用いて、光源の輝度の設定時に限って接続されるように）構成されてもよい。更に、画像分析装置における画像の分析および光源の輝度の決定は、画像分析装置が自ら実行してもよく、画像分析装置を用いる設定担当者が行ってもよい。
【００１６】
上記（５）の構成の車両用撮影システムによれば、画像分析装置において、上記（２）と同様、撮影画像が仮想的に複数の領域に分割された上で、それら複数の領域間の明るさの差が小さくなるように、複数の光源の各々の輝度が設定される。そのため、このような仮想的な画像の分割を行わない場合に比べ、複数の光源の各々の輝度を容易に設定することが可能となる。
【００１７】
上記（６）の構成の車両用撮影システムによれば、画像分析装置において、上記（３）と同様、カメラによる撮影における露光時間を考慮した上で、上述した個別輝度調整が実行される。これにより、例えば、露光時間が十分に長い場合において更に光源から撮影対象に赤外線が放射されることを避け、カメラにおける露光が過剰となること（いわゆる白飛び）を防止できる。
【発明の効果】
【００１８】
本発明によれば、明るさのばらつきが出来る限り小さい撮影画像を得ることが可能な車両用撮影装置、及び、そのような撮影画像を得ることが可能な車両用撮影システム、を提供できる。
【００１９】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００２０】
【図１】図１は、本発明の第１実施形態に係る車両用撮影装置の使用状態を例示する説明図である。
【図２】図２は、図１の車両用撮影装置の正面図である。
【図３】図３は、図２の車両用撮影装置の機能ブロック図である。
【図４】図４は、図２の車両用撮影装置と外部機器（画像分析装置）とが接続されている状態を示す概略図である。
【図５】図５は、図４の外部機器（画像分析装置）の画像モニタ部に表示された撮影画像の表示例を示す説明図である。
【図６】図６は、図４の外部機器（画像分析装置）の画像モニタ部に表示された撮影画像の表示例を示す説明図である。
【図７】図７は、本発明の第２実施形態に係る車両用撮影装置の機能ブロック図である。
【図８】図８は、本発明の第３実施形態に係る車両用撮影装置の使用状態を例示する説明図である。
【発明を実施するための形態】
【００２１】
＜第１実施形態＞
以下、図１〜図６を参照しながら、本発明の第１実施形態に係る車両用撮影装置及び車両用撮影システムについて説明する。本実施形態では、車両の室内を撮影する一つの例として、バスの運行中における運転手の行動を撮影し記録するための使用態様について説明する。
【００２２】
（車両用撮影装置の構成）
図１に示すように、本実施形態の車両用撮影装置１００はバスＢ１の運転席Ｂ２の上方の天井Ｂ３に取り付けられている。車両用撮影装置１００は、天井Ｂ３に取り付けられた取付金具１１０と、取付金具１１０に保持された装置本体１２０と、を有する。取付金具１１０は、ネジ等を用いて天井Ｂ３に固定されている。装置本体１２０は、撮影する向きを調節できるように、バスＢ１の前後方向（図１の左右方向）に回動可能に取付金具１１０に保持されている。本例では、装置本体１２０は、撮影する向きがバスＢ１のほぼ真下向きになるように調整されている。装置本体１２０は、図中の符号αに示す撮影画角を有している。具体的には、装置本体１２０は、バスＢ１の前後方向においては、ハンドルＢ４及びダッシュボードＢ５から運転中の運転手Ｈの頭部の一部が収まる範囲の撮影画角αを有しており、バスＢ１の横幅方向においては、運転手Ｈとその両側近傍が収まる範囲の画角を有している（図５及び図６参照）。
【００２３】
図２に示すように、取付金具１１０は、取付部１１１と、取付部１１１の両端から同じ向きに直角に延びる一対の腕部１１２とを有する略コ字形のブラケット金具である。取付金具１１０の取付部１１１には、ねじ等を通すための挿通孔１１２ａが複数箇所に設けられている。取付金具１１０の両方の腕部１１２の先端近傍には、支軸部材１１３が挿通される軸孔１１４が設けられている。
【００２４】
装置本体１２０は、取付金具１１０の両方の腕部１１２の軸孔１１４に挿通された支軸部材１１３により支持されており、支軸部材１１３を取り外す（外側に移動させる）ことにより、取付金具１１０から取り外せるようになっている。
【００２５】
装置本体１２０は、正面部１２２の形状が矩形状（本例では横長の長方形）の筐体１２１を有している。装置本体１２０の正面部（すなわち筐体１２１の正面部１２２）には、カメラ１３０と、複数（本例では６個）の赤外線ＬＥＤ１４０ａ〜１４０ｆと、明るさセンサ１５０と、が配置されている。具体的には、本例では、装置本体１２０の正面部中央にカメラ１３０が配置され、その両側近傍に３つの赤外線ＬＥＤが３個ずつ配置され、カメラ１３０の下方近傍に明るさセンサ１５０が配置されている。
【００２６】
筐体１２１の正面部１２２には、カメラ１３０のレンズ（光入射部）に対応した開口部１２３、複数の赤外線ＬＥＤ１４０ａ〜１４０ｆの光出射部に対応した複数の開口部１２４、及び、明るさセンサ１５０の受光部に対応した開口部１２５が設けられている。カメラ１３０、複数の赤外線ＬＥＤ１４０ａ〜１４０ｆ及び明るさセンサ１５０は、対応する開口部から外部を臨むように筐体１２１に収容されている。
【００２７】
図３に示すように、装置本体１２０は、カメラ１３０、赤外線ＬＥＤ１４０ａ〜１４０ｆ、及び、明るさセンサ１５０に加え、画像記録部１６０と、通信Ｉ／Ｆ１７０と、調整部１８０と、を有している。
【００２８】
カメラ１３０は、可視光と赤外線との双方を検知可能なカメラである。赤外線ＬＥＤ１４０ａ〜１４０ｆは、カメラ１３０の撮影範囲を含む所定領域内に赤外線（照明光）を放射するための光源である。明るさセンサ１５０は、赤外線（照明光）を放射する要否を判定するべく、撮影範囲の明るさ（可視光の強度）を検知するためのセンサである。画像記録部１６０は、カメラ１３０により撮影した撮影画像の画像データを、メモリカード等の情報記録媒体に記録するための構成を有する。通信Ｉ／Ｆ１７０は、外部機器（後述される画像分析装置２００）と車両用撮影装置１００とを通信可能に接続するための構成を有する。
【００２９】
調整部１８０は、赤外線ＬＥＤ１４０ａ〜１４０ｆの輝度の調整を含め、車両用撮影装置１００の各部の処理及び動作を制御するための構成を有する。本例では、調整部１８０は、カメラ１３０の撮影画像における場所ごとの明るさのばらつきが小さくなるように、複数のＬＥＤ１４０ａ〜１４０ｆの各々の輝度を個別に設定可能であるように構成されている。なお、この輝度の設定（輝度の設定値の決定）は、後述するように、外部機器（画像分析装置２００）において行われてもよく、調整部１８０自らが外部機器（画像分析装置２００）に依存することなく行ってもよい。
【００３０】
（車両用撮影装置の動作）
次いで、上記のように構成された車両用撮影装置１００の動作について説明する。
【００３１】
車両用撮影装置１００は、カメラ１３０の撮影範囲の明るさ（可視光における明るさ）を明るさセンサ１５０によって検知し、明るさセンサ１５０の出力値が所定の閾値以上であれば（換言すると、可視光での撮影に適していれば）、赤外線ＬＥＤ１４０ａ〜１４０ｆを発光させることなく、可視光にてカメラ１３０により撮影を行う。一方、明るさセンサ１５０の出力値が所定値以下であれば（換言すると、可視光での撮影に適さなければ）、車両用撮影装置１００は、赤外線ＬＥＤ１４０ａ〜１４０ｆを発光させ、撮影範囲に赤外線（照明光）を照射しながら、赤外線にてカメラ１３０により撮影を行う。カメラ１３０により撮影した撮影画像の画像データは、画像記録部１６０によって情報記録媒体に記録される。
【００３２】
本例の場合、バスの運行中における運転手Ｈの行動が、カメラ１３０により撮影されて記録媒体に記録される。よって、情報記録媒体に記録された撮影画像を確認することにより、運転手Ｈの行動を含めた運行管理を行い得る。
【００３３】
一方、バスＢ１の運転席Ｂ２の周辺にある内装品および機器などの配置および形状、並びに、運転席Ｂ２の位置などによっては、撮影画角α内の場所ごとの赤外線照射量にばらつきが生じる場合がある。その場合、カメラ１３０の撮影画像内に明るい領域と暗い領域とが生じる場合がある。即ち、撮影画像における場所ごとの明るさのばらつきが生じる場合がある。
【００３４】
このような明るさのばらつきの度合いが十分に小さければ、たとえばらつきが生じていても、撮影画像を用いた運行管理を適切に行い得る。しかし、明るさのばらつきの度合いが過度に大きくなると（換言すると、撮影画像内の明るい領域と暗い領域との明暗の差が過度に大きくなると）、撮影画像内の暗い部分が、撮影画像内の明るい部分に比べて視認し難くなる可能性がある。その場合、運転手Ｈの行動を撮影画像によって正確に判別することが困難になる可能性がある。
【００３５】
そこで、車両用撮影装置１００は、カメラ１３０による撮影画像における場所ごとの明るさのばらつきが小さくなるように、複数の赤外線ＬＥＤ１４０ａ〜１４０ｆの各々の輝度を個別に調整可能であるように構成されている。以下、この調整は「個別輝度調整」とも称呼される。この個別輝度調整について、本発明の実施態様に係る車両用撮影システム１の説明と併せ、以下に詳述する。
【００３６】
図４に示すように、車両用撮影システム１は、上述した車両用撮影装置１００と、外部機器である画像分析装置２００と、を備えている。本例では、車両用撮影装置１００と画像分析装置２００とは、通信ケーブルを介して有線接続されている。具体的には、車両用撮影装置１００の通信Ｉ／Ｆ１７０に通信ケーブルの一端が接続され、画像分析装置２００の通信Ｉ／Ｆ（図示省略）に通信ケーブルの他端が接続されている。なお、車両用撮影装置１００と画像分析装置２００とは、常には接続されておらず、赤外線ＬＥＤ１４０ａ〜１４０ｆの輝度を設定するために必要な場合に限って接続される。
【００３７】
画像分析装置２００の画像モニタ部２１０には、車両用撮影装置１００が撮影している撮影画像Ｐ１が表示される。なお、この撮影画像Ｐ１は、画像記録部１６０に記録された画像ではなく、その時点にて車両用撮影装置１００が撮影しているリアルタイム画像である。
【００３８】
画像分析装置２００を操作している設定担当者（オペレータ）は、画像モニタ部２１０に表示された撮影画像Ｐ１を目視しながら、赤外線ＬＥＤ１４０ａ〜１４０ｆの輝度の設定値を決定する。例えば、一例として、図５に示す撮影画像Ｐ１の場合、運転手Ｈの足元の周辺の部分がその他の部分と比較して暗く表示されている。この場合、運転手Ｈの足部の動き（例えば、アクセルペダルの操作）を撮影画像Ｐ１によって正確に判別することが困難である可能性がある。
【００３９】
この場合、図５に示すように、画像分析装置２００は、カメラ１３０による撮影画像を仮想的に複数の領域（本例では、線分Ｌ１及びＬ２によって分割された４つの領域Ａ、Ｂ、Ｃ及びＤ）に分割し、それら領域間の明るさの差が小さくなるように、赤外線ＬＥＤ１４０ａ〜１４０ｆの各々の輝度の設定値を決定する。
【００４０】
図５に示す撮影画像Ｐ１の場合、領域Ａ及び領域Ｂがその他の領域に比べて暗い領域である。そのため、設定担当者は、６個の赤外線ＬＥＤ１４０ａ〜１４０ｆのうち、領域Ａ及び領域Ｂへの照射への寄与度が高い一又は複数の赤外線ＬＥＤの輝度をより高めるように設定値を定め、領域Ａ及び領域Ｂへの照射への寄与度が低い一又は複数の赤外線ＬＥＤの輝度がより低くなるように設定値を定めることになる。なお、このような画像の分析（輝度の設定値の決定）は、車両用撮影装置１００を車両（本例ではバスＢ１）に設置した状態にて行われる。
【００４１】
このように定められた輝度の設定値に従い、車両用撮影装置１００の調整部１８０は、赤外線ＬＥＤ１４０ａ〜１４０ｆの輝度を設定する。その結果、図６に示す撮影画像Ｐ２のように、図５に示す撮影画像Ｐ１と比べ、暗い部分（領域Ａ及び領域Ｂ）と、明るい部分（領域Ｃ及び領域Ｄ）と、の明るさの差が小さくなる。即ち、明るさのばらつきが低減された撮影画像Ｐ２が得られることになる。
【００４２】
なお、図６に示す撮影画像Ｐ２では、領域Ａ及び領域Ｂにおける明るさが撮影画像Ｐ１に比べて高まり、領域Ｃ及び領域Ｄにおける明るさが撮影画像Ｐ１に比べて低くなっている。その結果、撮影画像Ｐ２は、全体として、明るさのばらつきが小さい画像となっている。
【００４３】
更に、上述した赤外線ＬＥＤ１４０ａ〜１４０ｆの輝度の調整は、カメラ１３０による撮影における露光時間が所定の閾値以下である場合に限って実行されてもよい。これにより、露光時間が十分に長い（即ち、閾値よりも長い）場合に更に赤外線ＬＥＤ１４０ａ〜１４０ｆから撮影対象に照射され、露光過剰（いわゆる白飛び）が生じることを防止できることになる。
【００４４】
上述した閾値は、赤外線ＬＥＤ１４０ａ〜１４０ｆの最大輝度、カメラ１３０の受光素子における露光可能量（ダイナミックレンジ）、及び、車両の室内の明るさ等を考慮し、予め実験等を行うことによって定められ得る。なお、受光素子が大きい（ダイナミックレンジが広い）カメラ１３０を用いた場合、一般に露光過剰（白飛び）が生じ難くなるため、このような露光時間の検討を行わなくとも、個別輝度調整を実行し得ることになる。
【００４５】
以上に説明したように、車両用撮影装置１００によれば、カメラ１３０による撮影画像における場所ごとの明るさのばらつきが小さくなるように、複数の赤外線ＬＥＤ１４０ａ〜１４０ｆの各々の輝度を個別に（換言すると、異なる輝度に）設定可能となっている。そのため、複数の赤外線ＬＥＤ１４０ａ〜１４０ｆの輝度が一律に（同一の輝度にて発光するように）設定される場合に比べ、撮影画像の場所ごとの明るさのばらつきを低減できる。よって、車両用撮影装置１００は、調整部１８０によって複数の赤外線ＬＥＤ１４０ａ〜１４０ｆの各々の輝度を適宜調整することにより、明るさのばらつきが出来る限り小さい撮影画像（Ｐ２）を得ることが可能である。更に、この個別輝度調整を行うにあたり、撮影時の露光時間の長短を考慮することにより、撮影時の露光過剰（白飛び）を防止することが可能である。
【００４６】
更に、車両用撮影装置１００によれば、撮影画像が仮想的に複数の領域Ａ，Ｂ，Ｃ，Ｄに分割された上で、それら複数の領域間の明るさの差が小さくなるように、複数の赤外線ＬＥＤ１４０ａ〜１４０ｆの各々の輝度が設定される。そのため、このような仮想的な画像の分割を行わない場合に比べ、複数の赤外線ＬＥＤ１４０ａ〜１４０ｆの各々の輝度を容易に設定することが可能となる。
【００４７】
更に、このような輝度の設定に関し、車両用撮影システム１によれば、車両用撮影装置１００とは別の画像分析装置２００を用いて赤外線ＬＥＤ１４０ａ〜１４０ｆの輝度を定めるため、赤外線ＬＥＤ１４０ａ〜１４０ｆの輝度を定めるための機能を車両用撮影装置１００に設ける必要がない分、車両用撮影装置１００の構造を簡略化（小型化・低価格化）できる。
【００４８】
＜第２実施形態＞
次いで、図７を参照しながら、本発明の第２実施形態に係る車両用撮影装置及び車両用撮影システムについて説明する。本実施形態に係る車両用撮影装置は、車両用撮影装置が自らの判断によって複数の光源の各々の輝度を調整する点において、第１実施形態と異なる。
【００４９】
具体的には、上述した車両用撮影システム１では、車両用撮影装置１００とは異なる画像分析装置２００を用いて赤外線ＬＥＤ１４０ａ〜１４０ｆの輝度の設定が行われている。しかし、本実施形態に係る車両用撮影装置１００Ａは、車両用撮影装置１００Ａに上述した画像分析装置２００の機能を含めるように構成されている。
【００５０】
具体的には、図７に示すように、車両用撮影装置１００Ａに設けられた画像分析部１９０が、撮影画像を仮想的に複数の領域に分割すると共に、複数の領域間の明るさの差が小さくなるように、赤外線ＬＥＤ１４０ａ〜１４０ｆの各々の輝度の設定値を決定する。そして、このように定められた輝度の設定値に従い、調整部１８０が、赤外線ＬＥＤ１４０ａ〜１４０ｆの輝度を設定する。このとき、画像分析部１９０は、例えば、カメラ１３０の受光素子の各々における明度情報等に基づき、複数の領域ごとの明るさを検出する。
【００５１】
このように、車両用撮影装置１００Ａは、設定担当者に頼ることなく、赤外線ＬＥＤ１４０ａ〜１４０ｆの輝度の設定を行う。これにより、赤外線ＬＥＤ１４０ａ〜１４０ｆの輝度がリアルタイムに設定されるため、より良質な撮影画像を得ることができる。
【００５２】
なお、本実施形態において、車両用撮影装置１００Ａに画像分析部１９０を設けることに代え、調整部１８０が、自ら、撮影画像を仮想的に複数の領域に分割すると共に、複数の領域間の明るさの差が小さくなるように複数の光源の各々の輝度を調整してもよい。
【００５３】
＜第３実施形態＞
次いで、図８を参照しながら、本発明の第３実施形態に係る車両用撮影装置及び車両用撮影システムについて説明する。本実施形態に係る車両用撮影装置は、車両用撮影装置が車両の室外を撮影する点において、第１実施形態と異なる。
【００５４】
具体的には、上述した車両用撮影システム１では、車両用撮影装置１００は、車両（バスＢ１）の室内を撮影するようになっている。しかし、図８に示すように、本実施形態に係る車両用撮影装置１００Ｂは、バスＢ１の室外をフロントガラスＢ６を通して撮影するように、天井Ｂ３に固定されている。更に、車両用撮影装置１００Ｂは、第２実施形態に係る１００Ａと同様、車両用撮影装置１００Ｂに画像分析装置２００の機能を含めるように構成されている。その他の点において、車両用撮影装置１００Ｂは、第１実施形態に係る車両用撮影装置１００と同様に構成されている。
【００５５】
これにより、車両用撮影装置１００Ｂによれば、第１実施形態に係る車両用撮影装置１００と同様、バスＢ１の室外を撮影する場合においても、明るさのばらつきが出来る限り小さい撮影画像を得ることが可能である。更に、この個別輝度調整を行うにあたり、撮影時の露光時間の長短を考慮することにより、撮影時の露光過剰（白飛び）を防止することが可能である。
【００５６】
＜他の態様＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５７】
例えば、上述した第１実施形態では、車両用撮影装置１００と画像分析装置２００とを通信ケーブルによって有線接続している。しかし、車両用撮影装置１００と画像分析装置２００とは、無線接続されてもよい。無線接続の場合、上記同様、赤外線ＬＥＤ１４０ａ〜１４０ｆの輝度をリアルタイムに設定することも可能である。
【００５８】
更に、上述した第１実施形態〜第３実施形態では、カメラ１３０による撮影画像を仮想的に４分割している。しかし、撮影画像の分割数は特に制限されない。
【００５９】
更に、上述した第１実施形態〜第３実施形態では、車両用撮影装置１００，１００Ａ，１００Ｂは、可視光と赤外線との双方を検知可能なカメラ１３０を備えている。しかし、車両用撮影装置１００，１００Ａ，１００Ｂは、可視光を検知可能なカメラと、赤外線を検知可能なカメラ（赤外線カメラ）と、を別々に備えてもよい。
【００６０】
更に、上述した第１実施形態〜第３実施形態では、車両用撮影装置１００，１００Ａ，１００Ｂは、明るさセンサ１５０を備えている。しかし、例えば、カメラ１３０の受光素子における明度の情報に基づき、撮影範囲の明るさを検知してもよい。この場合、明るさセンサ１５０を排除できる分、車両用撮影装置１００，１００Ａ，１００Ｂの製造コストを低減できる。更に、車両用撮影装置１００，１００Ａ，１００Ｂの筐体１２１に明るさセンサ１５０を露出させるための開口部などを設ける必要がないため、装置そのものの構成を単純化できる。
【００６１】
更に、上述した第１実施形態および第２実施形態では、車両用撮影装置１００，１００ＡをバスＢ１の運転席Ｂ２の天井Ｂ３に取り付けて、運転手Ｈを上方から撮影している。しかし、車両用撮影装置１００，１００Ａは、運転手Ｈを前方又は側方から撮影し得る位置、及び、運転手Ｈの足下を撮影し得る位置にも設置され得る。一方、第３実施形態では、車両用撮影装置１００Ｂは、バスＢ１の前方を撮影するように配置されている。しかし、車両用撮影装置１００Ｂは、バスＢ１の後方および側方などを撮影するように配置されてもよい。
【００６２】
更に、上述した第１実施形態〜第３実施形態では、車両用撮影装置１００，１００Ａ，１００ＢがバスＢ１に設置されている。しかし、車両用撮影装置１００，１００Ａ，１００Ｂはタクシー及びトラック等のバスＢ１以外の車両の車両用に設置してもよい。
【００６３】
ここで、上述した本発明に係る車両用撮影装置および車両用撮影システムの実施形態の特徴をそれぞれ以下（１）〜（６）に簡潔に纏めて列記する。
（１）
赤外線を検知可能なカメラ（１３０）と、前記カメラの撮影範囲を含む領域内に赤外線を放射する複数の光源（１４０ａ〜１４０ｆ）と、前記複数の光源の輝度を調整する調整部（１８０）と、を備えた車両用撮影装置（１００，１００Ａ，１００Ｂ）であって、
前記調整部（１８０）は、
前記カメラ（１３０）による撮影画像における場所ごとの明るさのばらつきが小さくなるように、前記複数の光源（１４０ａ〜１４０ｆ）の各々の輝度を個別に調整する個別輝度調整を実行可能であるように構成されている、
車両用撮影装置。
（２）
上記（１）に記載の車両用撮影装置において、
前記調整部（１８０）が、
前記撮影画像を仮想的に複数の領域（Ａ〜Ｄ）に分割すると共に、前記複数の領域間の明るさの差が小さくなるように、前記個別輝度調整を実行する、
車両用撮影装置。
（３）
上記（１）又は上記（２）に記載の車両用撮影装置において、
前記調整部（１８０）が、
前記カメラ（１３０）による撮影における露光時間が所定の閾値以下である場合、前記個別輝度調整を実行する、
車両用撮影装置。
（４）
車両用撮影装置（１００，１００Ａ，１００Ｂ）と、前記車両用撮影装置と通信可能な画像分析装置（２００）と、を備えた車両用撮影システム（１）であって、
前記車両用撮影装置（１００，１００Ａ，１００Ｂ）は、
赤外線を検知可能なカメラ（１３０）と、前記カメラの撮影範囲を含む領域内に赤外線を放射する複数の光源（１４０ａ〜１４０ｆ）と、前記複数の光源の各々の輝度を個別に調整可能な調整部（１８０）と、を備え、
前記画像分析装置（２００）において、
前記カメラ（１３０）による撮影画像における場所ごとの明るさのばらつきが小さくなるように、前記複数の光源（１４０ａ〜１４０ｆ）の各々の輝度が定められる輝度設定が行われ、
前記調整部（１８０）は、
前記輝度設定に従って前記複数の光源（１４０ａ〜１４０ｆ）の輝度を調整する、
車両用撮影システム。
（５）
上記（４）に記載の車両用撮影システムにおいて、
前記画像分析装置（２００）において、
前記撮影画像を仮想的に複数の領域（Ａ〜Ｄ）に分割すると共に、前記複数の領域間の明るさの差が小さくなるように、前記輝度設定が行われる、
車両用撮影システム。
（６）
上記（４）又は上記（５）に記載の車両用撮影システムにおいて、
前記画像分析装置（２００）において、
前記カメラ（１３０）による撮影における露光時間が所定の閾値以下である場合、前記輝度設定が行われる、
車両用撮影システム。
【符号の説明】
【００６４】
１      車両用撮影システム
１００，１００Ａ，１００Ｂ  車両用撮影装置
１３０  カメラ
１４０ａ〜１４０ｆ  赤外線ＬＥＤ（光源）
１８０  調整部
１９０  画像分析部
２００  画像分析装置
【図１】
2017105431.tif 000003
【図２】
2017105431.tif 000004
【図３】
2017105431.tif 000005
【図４】
2017105431.tif 000006
【図５】
2017105431.tif 000007
【図６】
2017105431.tif 000008
【図７】
2017105431.tif 000009
【図８】
2017105431.tif 000010